(57)【要約】【課題】サイズを縮小することができ簡便な構造で、かつ、曲げ等に対する強度も有する液晶層に電圧を印加する。【解決手段】液晶表示装置１では、電極２ａ，３ａは、互いに重なる領域を備え、接続部２ｂ，３ｂが基板２，３の一辺部にそれぞれ位置して、基板２，３の一辺部に接続基板５を挟持させて、端子５ａ，５ｂを接続部２ｂ，３ｂに接続させている。これにより、接続箇所が共通となって液晶表示装置１のサイズを縮小させることができると共に簡便な構成により電極２ａ，３ａに電圧を印加することができ、かつ、接続基板５が基板２及び３と挟まれた状態で接続されるため、曲げ等に対する強度も有することができる。【選択図】図１
2012098330.tif 000002
【特許請求の範囲】
【請求項１】
液晶層を挟持する少なくとも一方が所定の弾性を有する一対の基板と、
一方の前記基板上に配置され、前記一対の基板の一辺部に位置する第１接続部から第１信号が入力される第１電極と、
他方の前記基板の前記第１電極の対向側に配置され、前記一辺部に位置する第２接続部から第２信号が入力される第２電極と、
前記一対の基板の前記一辺部に挟み込み前記一対の基板の少なくとも一方を歪曲させて、前記第１接続部に前記第１信号を、前記第２接続部に前記第２信号をそれぞれ出力し、前記第１電極と前記第２電極とが重なる領域の前記液晶層を駆動する接続基板と、
を有することを特徴とする液晶表示装置。
【請求項２】
前記第１接続部の前記第１電極と、前記第２接続部の前記第２電極とは、少なくとも一部が重複して配置されることを特徴とする請求項１記載の液晶表示装置。
【請求項３】
前記一対の基板の周縁部に沿って配置され前記一対の基板を貼り合わせ、前記一対の基板に挟持される前記液晶層を封止するシール部材を更に有することを特徴とする請求項１または２記載の液晶表示装置。
【請求項４】
前記接続基板を挟み込む前記一対の基板の前記一辺部は、前記一対の基板を貼り合わせた前記シール部材の外側であることを特徴とする請求項３記載の液晶表示装置。
【請求項５】
液晶層を挟持する少なくとも一方が所定の弾性を有する一対の基板と、一方の前記基板上に配置され、前記一対の基板の一辺部に位置する第１接続部から第１信号が入力される第１電極と、他方の前記基板の前記第１電極の対向側に配置され、前記一辺部に位置する第２接続部から第２信号が入力される第２電極と、前記一対の基板の前記一辺部に挟み込み前記一対の基板の少なくとも一方を歪曲させて、前記第１接続部に前記第１信号を、前記第２接続部に前記第２信号をそれぞれ出力し、前記第１電極と前記第２電極とが重なる領域の前記液晶層を駆動する接続基板と、を有する液晶表示装置を具備することを特徴とする電子機器。
【発明の詳細な説明】
【技術分野】
【０００１】
本発明は、液晶表示装置及び電子機器に関する。
【背景技術】
【０００２】
液晶パネル（液晶表示装置）は、透明電極がそれぞれ形成された一対の透明基板を、当該透明電極が向き合うように（直交方向に）貼り合わせ、透明基板間に液晶を封止して、透明電極間に電圧を印加して液晶を反応させて表示を行うものである（例えば、特許文献１参照）。
【０００３】
このような液晶表示装置では、透明基板の透明電極に対して画像信号を入力するためのフレキシブル配線基板が、透明基板の縁部に接続される。
また、透明電極は、例えば、特許文献１の図９に示されるように、透明基板を貼り合わせた際に、一対の透明基板の異なる辺からそれぞれフレキシブル配線基板と接続できるよう（２辺出し）に、透明基板に配置される。
【先行技術文献】
【特許文献】
【０００４】
【特許文献１】特開２００７−２７１８１９号公報
【発明の概要】
【発明が解決しようとする課題】
【０００５】
しかし、フレキシブル配線基板をこのようにして透明基板に対して設ける場合には、接続箇所が２箇所になるために、液晶表示装置にその分の領域（スペース）が必要となり装置全体の大型化や、透明基板の２箇所に対するフレキシブル配線基板の接続作業が必要となり、製造コストが嵩むという問題点があった。
【０００６】
このような問題点に対処するために、透明電極を、一対の透明基板の同じ辺側でフレキシブル配線基板と接続するように透明基板に配置することも考えられる。例えば、一方の透明基板の透明電極と、他方の透明基板の余地スペースに設けた透明電極とを導電部材（例えば、銀ペースト等）を介し接続させることにより、一方の透明基板にフレキシブル配線基板との接続部分を集約させること等が考えられる。
【０００７】
しかし、この場合には、透明電極に対する導通を維持するために透明基板内に新たに導電部材が必要になり構造が複雑化してしまい、液晶表示装置の大型化は抑制されるものの、余計な製造コストが嵩むという新たな問題点があった。
【０００８】
また、透明基板とフレキシブル配線基板とは互いの辺の一部を重ねて接続されるため、曲げ等に対し強度が弱く、接続不良（接触不良）等の発生により所望の表示が行えないといった問題もあった。
【０００９】
本発明はこのような点に鑑みてなされたものであり、サイズの拡大を抑制し、構造が簡略化され、かつ、透明基板とフレキシブル配線基板との接続部分が一対の透明基板に挟まれた状態で接続されるため、曲げ等に対する強度も有した液晶表示装置及び電子機器を提供することを目的とする。
【課題を解決するための手段】
【００１０】
上記目的を達成するために、液晶層を挟持する少なくとも一方が所定の弾性を有する一対の基板と、一方の前記基板上に配置され、前記一対の基板の一辺側に位置する第１接続部から第１信号が入力される第１電極と、他方の前記基板の前記第１電極の対向側に配置され、前記一辺側に位置する第２接続部から第２信号が入力される第２電極と、前記一対の基板の前記一辺部に挟み込み前記一対の基板の少なくとも一方を歪曲させて、前記第１接続部に前記第１信号を、前記第２接続部に前記第２信号をそれぞれ出力し、前記第１電極と前記第２電極とが重なる領域の前記液晶層を駆動する接続基板と、を有する液晶表示装置が提供される。
【００１１】
また、上記目的を達成するために、このような液晶表示装置を具備する電子機器が提供される。
【発明の効果】
【００１２】
このような液晶表示装置及び電子機器では、サイズを縮小することができ簡便な構造で、かつ、曲げ等に対する強度も有し、液晶層に電圧を印加することができる。
【図面の簡単な説明】
【００１３】
【図１】第１の実施の形態に係る液晶表示装置を説明するための概念図である。
【図２】第２の実施の形態に係る電子機器を説明するための図である。
【図３】第２の実施の形態に係る液晶表示装置を説明するための図である。
【図４】第２の実施の形態に係る液晶表示装置を説明するための要部断面図である。
【図５】第２の実施の形態に係る液晶表示装置を構成する透明基板に配置された透明電極を説明するための図（その１）である。
【図６】第２の実施の形態に係る液晶表示装置を構成する透明基板に配置された透明電極を説明するための図（その２）である。
【図７】第２の実施の形態に係る液晶表示装置を説明するための斜視図である。
【図８】第３の実施の形態に係る液晶表示装置を説明するための図である。
【図９】第３の実施の形態に係る液晶表示装置を構成する透明基板を説明するための図（その１）である。
【図１０】第３の実施の形態に係る液晶表示装置を構成する透明基板を説明するための図（その２）である。
【発明を実施するための形態】
【００１４】
以下、実施の形態について図面を参照して説明する。
［第１の実施の形態］
図１は、第１の実施の形態に係る液晶表示装置を説明するための概念図である。なお、図１（Ａ）は液晶表示装置１の平面図、図１（Ｂ）は図１（Ａ）の液晶表示装置１の一点鎖線Ｘ−Ｘの要部断面図である。また、図１で表される破線は構成の見えない部分の形状を表している（隠れ線）。
【００１５】
液晶表示装置１は、外部から入力された信号に応じた電圧を液晶層に印加して所望の表示を実行するものである。
このような液晶表示装置１は、一対の基板２，３と、一対の基板２，３を貼り合わせると共に液晶が注入される領域を囲うためのシール部材４と、接続基板５と、一対の基板２，３に挟持される液晶層６と、を有する。
【００１６】
一対の基板２，３は、液晶層６を挟持して、少なくとも一方が所定の弾性を有する。また、一対の基板２，３は、電極２ａ，３ａ（第１電極，第２電極）が相互に対向するように配置されている。なお、基板２，３には透明基板を適用することができる。
【００１７】
電極２ａ（第１電極）は、図１（Ａ）及び図１（Ｂ）に示されるように、基板２に配置され、一対の基板２，３の一辺部（図１中の基板２，３の下端の辺部）に位置する接続部２ｂ（第１接続部）から信号（第１信号）が入力される。
【００１８】
電極３ａ（第２電極）は、図１（Ａ）及び図１（Ｂ）に示されるように、基板３の電極２ａの対向側に配置され、一辺部（図１中の基板２，３の下端の辺部）に位置する接続部３ｂ（第２接続部）から信号（第２信号）が入力される。また、図１（Ａ）では、電極３ａは、接続部３ｂから入力された信号を電極２ａの対向領域以外の領域を経て電極２ａと重なる重複領域に伝送させる。
【００１９】
なお、電極２ａ，３ａには共に透明電極を適用することができる。
接続基板５は、図１（Ａ）及び図１（Ｂ）に示されるように、一対の基板２，３の一辺部（図１中の基板２，３の下端の辺部）に挟み込まれ、一対の基板２，３の少なくとも一方を歪曲させて、接続部２ｂに信号を、接続部３ｂに別の信号をそれぞれ出力し、電極２ａ，３ａが重なる領域の液晶層６を駆動する。なお、図１では、接続基板５の表裏面に形成された端子５ａ，５ｂから、接続部２ｂ，３ｂに信号をそれぞれ出力している。また、図１では、接続基板５の配線パターン等の記載は省略している。接続基板５は、例えば、フレキシブル配線基板等の可撓性を有する部材であって自由に折り曲げることが可能である。
【００２０】
また、液晶表示装置１において所望の画像を表示させるためには、当該画像に対応する画像信号が接続基板５から端子５ａ，５ｂを介して電極２ａ，３ａの接続部２ｂ，３ｂに入力される。電極２ａ，３ａに画像信号が入力されると、当該画像信号に対応する電圧が相互に重なる重複領域に対応する液晶層６の部分に印加されて、液晶層６の当該部分が変化することにより、所望の画像が表示されるようになる。
【００２１】
このような構成を有する液晶表示装置１では、電極２ａ，３ａは、互いに重なる領域を備え、接続部２ｂ，３ｂが基板２，３の一辺部にそれぞれ位置して、基板２，３の一辺部に接続基板５を挟持させて、端子５ａ，５ｂを接続部２ｂ，３ｂに接続させている。
【００２２】
これにより、接続箇所が共通となって液晶表示装置１のサイズを、基板の接続箇所が同じ位置にならないように設ける場合よりも縮小させることができる。更に、導電部材等の新たな構成を用いずに簡便な構成により電極２ａ，３ａに電圧を印加でき、かつ、接続基板５が基板２，３に挟まれた状態で接続されるため、曲げ等に対する強度も有することができる。
【００２３】
［第２の実施の形態］
第２の実施の形態では、上記第１の実施の形態をより具体的に説明する。
図２は、第２の実施の形態に係る電子機器を説明するための図である。
【００２４】
電子機器１０は、図２に示されるように、例えば、携帯型の情報処理端末であって、操作ユニット１１と表示ユニットとを備えている。
操作ユニット１１は、電子機器１０が備える所定の機能がそれぞれ対応づけられており、操作ユニット１１に対する当該機能に対応した操作入力に応じて電子機器１０に当該機能の処理を実行させることができる。
【００２５】
表示ユニットは、例えば、液晶表示装置と、タッチパネル等の位置入力装置とが組み合わされたものであって、そのうち、表示部１２は液晶表示装置の表示領域である。表示部１２には、電子機器１０の所定の処理に応じて画像を表示させることができる。
【００２６】
以下、表示部１２に画像を表示する液晶表示装置について説明する。
図３は、第２の実施の形態に係る液晶表示装置を説明するための図、図４は、第２の実施の形態に係る液晶表示装置を説明するための要部断面図である。なお、図３で表される破線は構成の見えない部分の形状を表している（隠れ線）。図４は、図３に示す液晶表示装置２０の一点鎖線Ｙ−Ｙにおける断面を表している。
【００２７】
液晶表示装置２０は、図３に示されるように、対向配置して貼り合わせた一対の透明基板２２，２３と、一対の透明基板２２，２３を貼り合わせるシール部材２４と、フレキシブル配線基板２５と、一対の透明基板２２，２３に挟持される液晶層２６と、フレキシブル配線基板２５に電気的に接続されているプリント回路基板２７とを有する。
【００２８】
透明基板２２，２３は、所定の弾性を有するＰＥＴ（Polyethylene Terephthalate）、ＰＥＳ（Poly Ether Sulphone）等のフィルム材により構成されている。透明基板２２，２３は少なくとも一方が所定の弾性を有することが必要である。
【００２９】
透明電極２２ａ，２３ａは、例えば、酸化インジウムスズ（ＩＴＯ）で構成されており、透明基板２２，２３上にそれぞれ配置されている。また、透明電極２２ａ，２３ａは、図３及び図４に示されるように、透明基板２２，２３が貼り合わされると、互いに重なる領域が構成される。また、後述するフレキシブル配線基板２５が透明基板２２，２３の端部で挟持されると、透明電極２２ａ，２３ａは、フレキシブル配線基板２５の端子２５ａ，２５ｂと電気的に接続し、そして、端子２５ａ，２５ｂから出力された信号が入力される。透明電極２２ａ，２３ａの形状等の詳細については後述する。
【００３０】
フレキシブル配線基板２５は、可撓性を有するフィルム基材で構成されており、当該フィルム基材上に配線パターン（図示を省略）が形成されている。また、当該フィルム基材上にはドライバＩＣ（Integrated Circuit）２５ｃがＣＯＦ（Clip On Film）方式により実装され、当該ドライバＩＣ２５ｃは配線パターンと電気的に接続されている。また、フレキシブル配線基板２５は、透明電極２２ａ，２３ａと電気的に接続される端子２５ａ，２５ｂを表裏面の端部にそれぞれ備えている。このようなフレキシブル配線基板２５を、透明基板２２，２３を貼り合わせたシール部材２４から外側（透明基板２２，２３の縁部側）の端部（図３及び図４では透明基板２２，２３の下端部）に挟持させる。これにより、所定の弾性を有する透明基板２２，２３は歪曲して応力によりフレキシブル配線基板２５をより強固に挟持して、端子２５ａ，２５ｂが透明電極２２ａ，２３ａと電気的に接続する。
【００３１】
フレキシブル配線基板２５には、プリント回路基板２７が接続されている。また、プリント回路基板２７には配線パターン２７ｂの配線ランド部２７ａ等の回路を除くほぼ全面にグランドパターンが形成されている。グランドパターンはその全面が腐蝕防止用の保護膜としてのソルダーレジスト膜で覆われている。プリント回路基板２７は、電子機器１０に対する操作入力等に応じた画像信号を、配線パターン２７ｂを介して配線ランド部２７ａからフレキシブル配線基板２５のドライバＩＣ２５ｃに出力する。
【００３２】
次に、透明基板２２，２３に配置される透明電極２２ａ，２３ａについて説明する。
図５及び図６は、第２の実施の形態に係る液晶表示装置を構成する透明基板に配置された透明電極を説明するための図である。
【００３３】
透明電極２２ａは、３つの領域を備えている。即ち、透明電極２２ａは、図５に示されるように、透明基板２２の図中下端に位置する接続領域２２ａ１と、電極領域２２ａ３と、接続領域２２ａ１及び電極領域２２ａ３を結合する配線領域２２ａ２とで構成されている。
【００３４】
接続領域２２ａ１は、透明基板２２の端部に配列されて、透明基板２２，２３でフレキシブル配線基板２５を挟持する際に、フレキシブル配線基板２５の端子２５ａと接続し、端子２５ａから所望の信号が入力される。
【００３５】
配線領域２２ａ２は、接続領域２２ａ１と、電極領域２２ａ３との間を配線し、接続領域２２ａ１が入力した信号を後述する電極領域２２ａ３に伝送する。
電極領域２２ａ３は、透明基板２２ａの表示部１２に相当する範囲に配置されて、接続領域２２ａ１が入力した信号を配線領域２２ａ２により伝送される。
【００３６】
一方、透明電極２３ａも、３つの領域を備えて、透明基板２３に配置されている。即ち、透明電極２３ａは、図６に示されるように、透明基板２３の図中下端に位置する接続領域２３ａ１と、透明電極２２ａの電極領域２２ａ３に対して直交する電極領域２３ａ３と、接続領域２３ａ１と電極領域２３ａ３とを結合する配線領域２３ａ２とで構成されている。
【００３７】
接続領域２３ａ１は、透明基板２２に配置された接続領域２２ａ１と同様に透明基板２３の端部側に配列されて、透明基板２２，２３でフレキシブル配線基板２５を挟持する際に、フレキシブル配線基板２５の端子２５ｂと接続し、端子２５ｂから所望の信号が入力される。
【００３８】
配線領域２３ａ２は、接続領域２３ａ１と、後述する電極領域２３ａ３との間を配線し、接続領域２３ａ１が入力した信号を電極領域２３ａ３に伝送する。
電極領域２３ａ３は、透明基板２２の表示部１２に相当する範囲に、透明電極２２ａの電極領域２２ａ３に対して直交して配置され、接続領域２３ａ１が入力した信号を配線領域２２ａ２により伝送される。
【００３９】
なお、後述するように、透明基板２２，２３を貼り合わせた際に、透明電極２２ａ，２３ａの重なった領域に存在する液晶層２６の部分は、透明電極２２ａ，２３ａにより印加された電圧に応じて反応してしまう。このため、透明基板２２，２３に挟持された液晶層２６を封止するシール部材２４内では、透明電極２２ａ，２３ａは電極領域２２ａ３，２３ａ３以外の領域は重ならないようにしておく必要がある。
【００４０】
図７は、第２の実施の形態に係る液晶表示装置を説明するための斜視図である。
このような構成を、図７に示されるように、透明基板２２，２３との間にシール部材２４を配置させて、透明基板２２，２３を貼り合わせ、また、フレキシブル配線基板２５を透明基板２２，２３の端部で挟持する。
【００４１】
このようにして構成された液晶表示装置２０は、図３に示されるように、表示部１２に相当する領域内で、透明電極２２ａ，２３ａの電極領域２２ａ３，２３ａ３は格子状をなし、互いに重なる領域が構成される。また、このような液晶表示装置２０は、フレキシブル配線基板２５でプリント回路基板２７が図３中裏面側に折り曲げられて、電子機器１０の筐体中にセットされる。
【００４２】
そして、液晶表示装置２０は、電子機器１０の操作ユニット１１からの操作入力または電子機器１０での処理結果に応じた信号がプリント回路基板２７の配線パターン２７ｂを介して配線ランド部２７ａからフレキシブル配線基板２５のドライバＩＣ２５ｃに入力される。
【００４３】
当該入力信号に応じてドライバＩＣ２５ｃは制御信号をフレキシブル配線基板２５の端子２５ａ，２５ｂに出力して、端子２５ａ，２５ｂから画像信号が透明電極２２ａ，２３ａの接続領域２２ａ１，２３ａ１に入力される。
【００４４】
透明電極２２ａ，２３ａでは、接続領域２２ａ１，２３ａ１から入力された画像信号が配線領域２２ａ２，２３ａ２を介して電極領域２２ａ３，２３ａ３に伝送される。電極領域２２ａ３，２３ａ３は、互いに重なる領域に対応する液晶層２６の部分に、画像信号に対応する電圧が印加されて、液晶層２６の当該部分は印加された電圧に応じて変化して所望の表示を実行することができる。
【００４５】
このような液晶表示装置２０では、透明電極２２ａ，２３ａは、互いに重なり合う領域を構成して、接続領域２２ａ１，２３ａ１が透明基板２２，２３の一辺側にそれぞれ位置して、透明基板２２，２３の一辺側の端部にフレキシブル配線基板２５を挟持させて、端子２５ａ，２５ｂを接続領域２２ａ１，２３ａ１に接続させている。
【００４６】
これにより、接続箇所が共通となって液晶表示装置２０のサイズを、貼り合わせた透明基板２２，２３の異なる辺から透明電極２２ａ，２３ａをそれぞれ引き出す場合よりも縮小させることができる。更に、導電部材等の新たな構成を用いずに簡便な構成により透明電極２２ａ，２３ａに電圧を印加して所望の画像を表示でき、かつ、フレキシブル配線基板２５が透明基板２２，２３に挟まれた状態で接続されるため、曲げ等に対する強度も有することができる。
【００４７】
［第３の実施の形態］
第３の実施の形態では、透明基板に配置する透明電極の別の形態について説明する。
図８は、第３の実施の形態に係る液晶表示装置を説明するための図である。
【００４８】
液晶表示装置１２０は、図８に示されるように、液晶表示装置２０（図３）において、透明電極１２２ａを配置した透明基板１２２と、透明電極１２３ａ，１２３ｂを配置した透明基板１２３とがそれぞれ設けられている。
【００４９】
なお、液晶表示装置１２０の他の構成については、液晶表示装置２０と同じであるために、それらの構成の説明を省略する。
次に、透明基板１２２，１２３に配置される透明電極１２２ａ，１２３ａ，１２３ｂについて説明する。
【００５０】
図９及び図１０は、第３の実施の形態に係る液晶表示装置を構成する透明基板を説明するための図である。
まず、透明電極１２２ａは、透明基板１２２の略中央に配置されており、３つの領域を備えている。即ち、透明電極１２２ａは、図９に示されるように、透明基板１２２の図中下端に位置する接続領域１２２ａ１と、電極領域１２２ａ３と、接続領域１２２ａ１と電極領域１２２ａ３とを結合する配線領域１２２ａ２とで構成される。
【００５１】
接続領域１２２ａ１は、透明基板１２２の端部に配列されて、透明基板１２２，１２３でフレキシブル配線基板２５を挟持する際に、フレキシブル配線基板２５の端子２５ａと接続し、端子２５ａから所望の信号が入力される。
【００５２】
配線領域１２２ａ２は、接続領域１２２ａ１と、後述する電極領域１２２ａ３との間を配線し、接続領域１２２ａ１が入力した信号を電極領域１２２ａ３に伝送する。
電極領域１２２ａ３は、透明基板１２２の表示部１２に相当する範囲に配置されて、接続領域１２２ａ１が入力した信号を配線領域１２２ａ２により伝送される。
【００５３】
一方、透明基板１２３には、２種の透明電極１２３ａ，１２３ｂが配置されており、透明電極１２３ａ，１２３ｂはそれぞれ３つの領域を備えている。即ち、透明電極１２３ａ，１２３ｂは、図１０に示されるように、透明基板１２３の図中下端に位置する接続領域１２３ａ１，１２３ｂ１と、透明基板１２２の電極領域１２２ａ３に対して直交する電極領域１２３ａ３，１２３ｂ３と、接続領域１２３ａ１，１２３ｂ１及び電極領域１２３ａ３，１２３ｂ３を結合する配線領域１２３ａ２，１２３ｂ２とで構成されている。
【００５４】
接続領域１２３ａ１は透明基板１２３の図中下端部左側に、接続領域１２３ｂ１は透明基板１２３の図中下端部右側にそれぞれ配列されている。このように配列されている接続領域１２３ａ１，１２３ｂ１は、透明基板１２２，１２３でフレキシブル配線基板２５を挟持する際に、フレキシブル配線基板２５の端子２５ｂと接続し、端子２５ｂから所望の信号が入力される。
【００５５】
電極領域１２３ａ３は透明基板１２２の表示部１２に相当する範囲の下方に、電極領域１２３ｂ３は透明基板１２２の表示部１２に相当する範囲の上方に、それぞれ図中水平方向に配置されている。このような電極領域１２３ａ３，１２３ｂ３は接続領域１２３ａ１，１２３ｂ１から入力された信号が配線領域１２３ａ２，１２３ｂ２によりそれぞれ伝送される。
【００５６】
配線領域１２３ａ２は、接続領域１２３ａ１と電極領域１２３ａ３とを図中左側を迂回して配線し、接続領域１２３ａ１から入力された信号を電極領域１２３ａ３に伝送する。また、配線領域１２３ｂ２は、接続領域１２３ｂ１と電極領域１２３ｂ３とを図中右側を迂回して配線し、接続領域１２３ｂ１から入力された信号を電極領域１２３ｂ３に伝送する。
【００５７】
なお、第２の実施の形態の場合と同様に、透明基板１２２，１２３を貼り合わせた際に、液晶層２６を封止するシール部材２４内では、透明電極１２２ａ，１２３ａ，１２３ｂは電極領域１２２ａ３，１２３ａ３，１２３ｂ３以外の領域は重ならないような構成にしておく必要がある。
【００５８】
このような構成を、図７と同様にして、透明基板１２２，１２３との間にシール部材２４を配置させて、透明基板１２２，１２３を貼り合わせ、また、フレキシブル配線基板２５を透明基板１２２，１２３の端部で挟持する。
【００５９】
このようにして構成された液晶表示装置１２０は、図８に示されるように、表示部１２に相当する領域内で、電極領域１２２ａ３に対して、電極領域１２３ａ３，１２３ｂ３が直交して配置されて、電極領域１２２ａ３，１２３ａ３，１２３ｂ３は格子状をなし、互いに重なる領域が構成される。
【００６０】
そして、この場合も、液晶表示装置１２０は、電子機器１０の操作ユニット１１からの操作入力または電子機器１０での処理結果に伴ってドライバＩＣ２５ｃは制御信号をフレキシブル配線基板２５の端子２５ａ，２５ｂに出力して、端子２５ａ，２５ｂから画像信号が透明電極１２２ａ，１２３ａ，１２３ｂの接続領域１２２ａ１，１２３ａ１，１２３ｂ１に入力される。
【００６１】
透明電極１２２ａ，１２３ａ，１２３ｂでは、接続領域１２２ａ１，１２３ａ１，１２３ｂ１から入力された画像信号が配線領域１２２ａ２，１２３ａ２，１２３ｂ２を介して電極領域１２２ａ３，１２３ａ３，１２３ｂ３に伝送される。電極領域１２２ａ３，１２３ａ３，１２３ｂ３は、互いに重なる領域に対応する液晶層２６の部分に、画像信号に対応する電圧を印加して、液晶層２６の当該部分が当該電圧に応じて変化して所望の表示を実行することができる。
【００６２】
このような液晶表示装置１２０では、透明電極１２２ａ，１２３ａ，１２３ｂは、互いに重なり合う領域を構成して、接続領域１２２ａ１，１２３ａ１，１２３ｂ１が透明基板１２２，１２３の一辺側にそれぞれ位置して、透明基板１２２，１２３の一辺側の端部にフレキシブル配線基板２５を挟持させて、端子２５ａ，２５ｂを接続領域１２２ａ１，１２３ａ１，１２３ｂ１に接続させている。
【００６３】
これにより、接続箇所が共通となって液晶表示装置１２０のサイズを、貼り合わせた透明基板１２２，１２３の異なる辺から透明電極１２２ａ，１２３ａ，１２３ｂをそれぞれ引き出す場合よりも縮小させることができる。更に、導電部材等の新たな構成を用いずに簡便な構成により透明電極１２２ａ，１２３ａ，１２３ｂに電圧を印加して所望の画像を表示し、かつ、フレキシブル配線基板２５が透明基板１２２，１２３に挟まれた状態で接続されるため、曲げ等に対する強度も有することができる。
【符号の説明】
【００６４】
１，２０，１２０  液晶表示装置
２，３  基板
２ａ，３ａ  電極
２ｂ，３ｂ  接続部
４，２４  シール部材
５  接続基板
５ａ，５ｂ，２５ａ，２５ｂ  端子
６，２６  液晶層
１０  電子機器
１１  操作ユニット
１２  表示部
２２，２３，１２２，１２３  透明基板
２２ａ，２３ａ，１２２ａ，１２３ａ，１２３ｂ  透明電極
２２ａ１，２３ａ１，１２２ａ１，１２３ａ１，１２３ｂ１  接続領域
２２ａ２，２３ａ２，１２２ａ２，１２３ａ２，１２３ｂ２  配線領域
２２ａ３，２３ａ３，１２２ａ３，１２３ａ３，１２３ｂ３  電極領域
２５  フレキシブル配線基板
２５ｃ  ドライバＩＣ
２７  プリント回路基板
２７ａ  配線ランド部
２７ｂ  配線パターン
【図１】
2012098330.tif 000003
【図２】
2012098330.tif 000004
【図３】
2012098330.tif 000005
【図４】
2012098330.tif 000006
【図５】
2012098330.tif 000007
【図６】
2012098330.tif 000008
【図７】
2012098330.tif 000009
【図８】
2012098330.tif 000010
【図９】
2012098330.tif 000011
【図１０】
2012098330.tif 000012